(57)【要約】【課題】本発明は、漏れ及び圧力変動のない安定した長期の低露点のエアーの高圧用低露点除湿エアー発生装置の提供を目的とする。【解決手段】本発明に係る高圧用低露点除湿エアー発生装置Ａは、フレーム１内部に設けたモーター駆動する回転軸２と、当該回転軸を中心軸としてフレームに固定された第１固定接触板４と第２固定接触板５と、その間に配された円筒状の吸着筒１０とを備え、吸着筒１０内には、２層構造の第１ハニカムローター１４及び第２ハニカムローター１５を備えてなり、前記吸着筒は、モーターの回転により所定間隔をおいて間欠回転することを特徴とするものである。【選択図】                図３
2015024399.tif 000002
【特許請求の範囲】
【請求項１】
フレーム内部に設けたモーター駆動する回転軸と、当該回転軸を縦型の、中心軸として配された円形の第１回転止め具付接触板と第２固定接触板と、当該第１回転止め具付接触板と第２固定接触板との間に配された円箇状の吸着衙とを備え、
前記第１回転止め具付接触板及び第２固定接触板は架台に固定され、前記吸着筒は回転軸を中心として回転可能に配されており、
前記吸着筒は、モーターの回転により所定間隔をおいて間欠回転する
ことを特徴とする高圧用低露点除湿エアー発生装置。
【請求項２】
前記吸着箇は、第１回転ボックスプレート及び第２回転ボックスプレートと、当該第１回転ボックスプレートと第２回転ボックスプレートとの間に順次狭み込まれた第１パッキン、第１ハニカムローター、第２パッキン、第２ハニカムローター及び第３パッキンとを一体に固定したものである
ことを特懲とする請求項１に記載の高圧用低露点除湿エアー発生装置。
【請求項３】
前記第１ハニカムローター及び第２ハニカムローターは、それぞれ主として多数の透孔を有するハニカムはパッキンを挟んで、固定の２層のハニカムをそれぞれに６等分に扇状に、通し板の挿入を介して分割された、扇形吸着剤を一体として、バッチ回転をする、構造の吸着剤から構成されている
ことを特徴とする請求項２に記載の高圧用低露点除湿エアー発生装置。
【請求項４】
前記第１回転止め具付接触板は第１回転ポックスプレートに接触して配され、第２固定接触板は第２回転ボックスブレートに接触して配されるものであって、第１回転ボックスプレート及び第２回転ボックスプレートは、第１回転止め具付接触板との接触面及び第２固定接触板との接触面に、それぞれポリテトラフルオロエチレンを焼き付けコーティングしてなる
ことを特徴とする請求項２又は３に記載の高圧用低露点除湿エアー発生装置。
【請求項５】
前記第１回転止め具付接触板は、隣り合う２つの乾燥エアー入ロ穴と、当該乾燥エアー入口穴と隣り合う冷却エアー出口穴及び再主エアー入ロ穴とを有しており、
前記２つの乾燥エアー入口穴はその２つの穴を覆う第１回転ボックスプレート上のフードを介して乾燥エアー入ロ管に接続され、前記冷却エアー出ロ穴は冷却エアー出ロ管に接続され、前記再生エアー入口穴は再生エアー入ロ管に接続され、
前記第２固定接触板は、隣り合う２っの乾燥エアー出ロ穴と、当該乾燥エアー出ロ穴と隣り台う冷却エアー入ロ穴及び再生エアー出ロ穴とを有しており、
前記２つの乾燥エアー出ロ穴はその２つの穴を覆う第２回転ボックスプレート上のフードを介して乾燥エアー出口管に接続され、前記冷却エアー入口穴は冷却エアー入ロ管に接続され、前記再生エアー出ロ穴は再生エアー出ロ管に接続されている
ことを特儀とする請求項１〜４のいずれか１項に記載の高圧用低露点除湿エアー発生装置。
【請求項６】
前記冷却エアー出ロ穴及び再生エアー入口穴は、それぞれ前記第１回転止め具付接触板を回転軸を中心として６等分に分割した扇型の区画部の所定の位置に形成された穴であり、
前記２つの乾燥エアー入口穴は、それぞれ前記第１固定接触板を回転軸を中心として６等分に分割した扇型の区画部の所定の位置の穴を２個連続させた扇形の２区画部の範囲にわたるように形成され、                      
前記冷却エアー入ロ穴及び再生エアー出ロ穴は、それぞれ前記第２固定接触板を回転軸を申心として６等分に分割した扇型の区画部の所定の位置に形成された穴であり、
前記２つの乾燥エアー出口穴は、それぞれ前記第２固定機触板を回転軸を中心として６等分に分割した扇型の区画部の所定の位置の穴を２個連続させた扇形の２区画部の範囲にわたるように形成され、
前記冷却エアー入口穴及び再生エアー出口穴は、それぞれ前記第２固定接触板を、回転軸を中心として６等分に分割した扇型の区画部の所定の位置に形成された穴であり、
前記２つの乾燥エアー出口穴は、それぞれ前記第２固定接触板を、回転軸を中心として６等分に分割した扇型の区画部の所定の位置の穴を２個連続させた扇形の２区画部の範囲にわたるように形成され、
前記第１回転ボックスプレート、第２回転ボックスプレート、第１パッキン、第１ハニカムローター、第２パッキン、第２ハニカムローター及び第３パッキンは、それぞれ回転軸を中心として６０°ずつ、に揃えて区画されており、
前記第１回転ボックスプレート及び第２回転ボックスプレートには、回転軸を中心として６等分に分割した扇型の区画部の所定の位置に通気穴が形成されており、
前記吸着筒は、モータの回転により６０°の間隔をおいて間欠回転する
ことを特徴とする請求項５に記載の高圧用低露点除湿エアー発生装置。
【発明の詳細な説明】
【技術分野】
【０００１】
本発明は、高圧用低露点除湿エアー発生装置に関し、特に、回転ボックスプレート内の６等分のボックス内に分散板を設けて、乱流域のエアーを、ハニカム吸着剤を６等分に分壁に仕切り、分割された、各分割部の吸着剤への流れと、ハニカム内のエアーの流れの均一化を図る高圧用低露点除湿エアー発生装置に関する。
【背景技術】
【０００２】
下記特許文献１には、放射状に延びるスポークにより断面円弧状に仕切られた多数の小透孔を有するハニカム構造のガス吸着素子からなる円弧状セクタを、ロータを画成する円筒形のリム内に各々配置し、これら各セクタとスポーク及びリムとの接合面間にシリコーン等のコーキング材を介して一体化し、スポークの軸方向端面に、該端面及び該端面の両側に接触する２つの前記円弧状セクタの接合部を覆う不燃材料製の板から成る遮熱シールを備えた回転型吸着機用ロータが示されている。
【０００３】
下記特許文献２には、基本フレームと、内周側ブロック、中外周側ブロック及び最外周側ブロックとを備え、基本フレームは、放射状に延びる複数のフィンを有し、複数の内周側ブロックは、基本フレームの内周側に円周状に配置され、２個の中外周側ブロックは、内周側ブロックの外周側に配置され、３個の最外周側ブロックは、中外周側ブロックの外周側に配置され、隣接する２つのフィンの間には、１個の内周側ブロックと、２個の中外周側ブロックと、３個の最外周側ブロックとが配置された除湿ロータ及びそれを用いた吸着装置が示されている。
【０００４】
下記特許文献３には、ボスより外周リングまで延びたスポークを設け、ガスの吸着作用を有するハニカム体をスポークの間に設けるとともに、ハニカム体の端面にスポーク付近の空気の流通を防ぐ遮熱板を設け、これによって、高温の脱着空気がスポーク付近を通過せず、脱着空気の熱がスポークに伝わらず、これによってスポークの熱膨張を少なくすることができ、熱膨張によるスポークとハニカム体との剥がれを防止することができるハニカム状吸着ロータが示されている。
【０００５】
下記特許文献４には、水分及び有機物を除去した乾燥空気を目的空間に供給する装置であって、吸着剤を担持して構成されると共に直列に連接してそれぞれ回転可能に支持された複数のロータと、これらロータの最外端部及びロータ間に配置され、ロータの回転域を吸着ゾーン、再生ゾーン及び冷却ゾーンに仕切する仕切部材と、前記吸引した空気を前記吸着ゾーンに通過させて水分及び有機物を除去した乾燥空気を前記目的空間に供給する供給経路と、前記乾燥空気の一部を前記冷却ゾーンに通過させた後、加熱して前記再生ゾーンに通過させて吸着剤から水分及び有機物を脱離させる排気経路、とを備えた乾燥空気供給装置が示されている。
【０００６】
下記特許文献５には、ハニカム状ローターの端面に接する平面を有し、その反対面に吸着ゾーンを形成する吸着チャンバーと脱着ゾーンを形成する脱着チャンバーとを形成し、吸着チャンバーと脱着チャンバーとがそれぞれ離間した状態で形成されているチャンバーユニットを一対設け、一対のチャンバーユニットのそれぞれがハニカム状ローターの両端面にそれぞれ接するよう取り付けた吸着式除湿機が示されている。
【０００７】
下記特許文献６には、２段直列のロータ素子構造体であって、それぞれのロータが、両端面に軸方向の中心側に向けて非貫通溝を、径方向の中心に中心孔をそれぞれ設けたハニカム状のロータ素子と、ロータ素子の外周を覆う外周リングと、中心孔に嵌合する円筒状のボス部と、外周リングとボス部を連結すると共に、ハニカム状ロータ素子の非貫通孔に嵌合する板状リブからなる第１フレームと、第１フレームと第２フレームとを連結する外周パネルとを備え、第１フレームのボス部の内側の先端部と第２フレームのボス部の内側の先端部とが嵌合するロータ素子構造体および乾燥空気供給装置が示されている。
【０００８】
下記特許文献７には、少なくもその内表面上に、空気中の水分を可逆的に吸収可能の吸湿材を有する複数の貫通孔を有する回転吸湿部材の一領域に被除湿空気を貫通させる除湿工程と、除湿された空気を装置外へ排出する工程と、該吸湿部材の他の領域に、ヒータにより加熱された再生用空気を貫通させ吸湿部材の再生を行う工程と、吸湿部材を再生した後の再生空気を冷却結露させる工程と、結露水を除去後の再生用空気をヒータで加熱し、上記工程に循環させる工程とを含む除湿方法で、再生用空気と被除湿空気とは実質的に混合されず、かつ、吸湿部材再生後の再生用空気と、吸湿部材に導入前の除湿すべき空気との間で熱交換させて前記工程を行い、再生用空気は上記熱交換以外の熱交換を行わない除湿方法及び装置が示されている。
【０００９】
下記特許文献８には、エンジンからの抽出空気を冷却装置により冷却してキャビン内に主空気流路を介して導入し、その抽出空気を補助空気流路によりキャビンに導き、そのキャビン内の空気を流出空気流路に流出し、複数の吸着部は、空気に含まれる分子を吸着し、吸着時よりも温度が上昇することで吸着した分子を放出する吸着剤により構成され、コントローラによる空気流路切替機構の制御により、各吸着部は、その補助空気流路に接続される状態と流出空気流路に接続される状態とに切替えられる航空機用空気調和装置が示されている。
【先行技術文献】
【特許文献】
【００１０】
【特許文献１】特開２００１−２７６５５２号公報
【特許文献２】特開２００３−１２６６４１号公報
【特許文献３】特開２００４−１１３８４４号公報
【特許文献４】特開２００４−３２１９６４号公報
【特許文献５】特開２００４−５７９９４号公報
【特許文献６】特開２００９−２０２０８３号公報
【特許文献７】特開平１１−２０７１３４号公報
【特許文献８】特開２００３−１６００９８号公報
【発明の概要】
【発明が解決しようとする課題】
【００１１】
ポリエステルチップは製膜用、繊維用、光学用として（太陽光パネル、ＴＶ等）としてより高度な結晶化、低温乾燥機の圧力、風量、露点の変動の無い  低露点除湿エアーの供給が求められている。
【００１２】
ポリエステルの溶融粘度の変化、ＣＯＯＨ  ＯＨの増加、ＩＶの変化、溶液粘度等の、許容範囲である、押し出し機、射出成計機の出口の各値の物性の許容値を得るための、押し出し機の入り口に投入された乾燥チップは低温、短時間乾燥が必須条件である。（許容値は最大１６０℃１時間内の乾燥時間にて４０００ｐｐｍを２０ｐｐｍ以下に水分乾燥を行う。従来の乾燥機は５時間から１０時間を要する。変流によれば２４時間前後の滞留チップも多々生じている。）
乾燥機は、滞留時間、変流にまったく変化のない、短時間乾燥のチップであることが、各データーより、従来の乾燥機の実施の絶対条件である。
【００１３】
乾燥機内のチップの変流は許されない。このような乾燥機のシステムの一貫として発明された高圧用除湿エアー発生装置は乾燥機に、風量、圧力の変動しない、安定した低露点−７０℃以下（―７０℃＝０．０００１ｔｏｒｒ    ―６０℃  ０．００８ｔｏｒｒ    −７０℃は８０倍の乾燥速度を有する。）を供給する。
【００１４】
本発明は特に圧力変動と風量の変動とチップの変流の数％も許されない特許３９９３３６０号の機器（投入チップのグラス転移点の不安定なチップの前結晶化処理機を備えた）を運転する上での必須機として、吸着部を縦に６ボックスに分割された吸着剤に、エアーを均一に流す。
【００１５】
再生冷却、乾燥時の切り替えを、バッチにて回転を行って、６ゾーンに分割板にて分けた、ハニカムを２層にパッキンを介して保持した、一体型として回転させる。
【００１６】
回転部分は従来のハニカムの吸着剤の表面との接触は無くす。全くハニカムの表面と分離して回転部を設けることで、漏れ、圧力の逃げを防ぎ、ハニカム剤はポリエステルチップから発生される微細な結晶有機物、Ｎａイオン等の水以外の不純物対策を行う、圧力変動の無い、安定した長期の低露点のエアーの高圧循環式除湿発生機の発明である。
【００１７】
従来のエアーが一方向に通過する除湿エアー機は、大風量に対しては負荷が大きすぎて使用できない。負荷に対して外気に影響されない循環するエアーを使用するラインの除湿装置に対しては、入口圧力が大きくなると、除湿装置の回転によるエアー漏れによって、圧力の変動と露点の変動、さらにエアー漏れに対して追加する除湿エアーの供給量が大きくなる。このように除湿装置の必要性がなくなるのが、従来の連続回転の再生冷却乾燥ゾーンの切り替え方式の除湿エアー供給装置である。
【００１８】
また、従来のハニカム表面のシール材の線接触回転では、分割枠へのエアーの局部投入と、乱流エアーがハニカム状の網目を通過するのに、漏れ、圧力の逃げ、飛散を防ぎながら、均一な分散は不可能である。ハニカムローターはロール状に巻きつけて円筒の形状を保持しているが、仕切り板のない各ゾーンへの横漏れは防ぐことはできない。
【００１９】
さらに、図１２に示すように、従来の連続で回転しながら、休止することのないハニカムローターの弊害は、再生、冷却、乾燥ゾーンを設けることの大きな問題は、ローターの表面を直接どのような加工をしようが、駆動部分のハニカムの表面の両面の線接触による固定部との接触になることで、連続回転による圧力とエアーの逃げを防ぐことは不可能であることと、ロータ内部のロール加工の隙間の漏れを防ぐことができないことと、圧力バランスの崩れと入口、出口の負圧、加圧の高圧には使用等ができないことにある。漏れた量は補充するしかなくて悪循環が生じる。補充量が増えるばかりで、補充エアーは低露点を要求されることから、結局低露点を求めることが装置ではできず、低露点補充エアーでまかなったり、直列に２台以上の吸着装置を用いるのが現状である。
【００２０】
本発明は特に圧力変動の許されない出願人が開発した特許３９９３３６０号の粒状合成樹脂材料の結晶乾燥装置を運転する上での必須機として、吸着部を縦に６区画に分割された吸着剤にエアーを均一に流す。再生冷却、乾燥時の切り替えをバッチにて回転を行って、６ゾーンに分けたハニカムを２層にパッキンを介して保持した、一体型として回転させる。回転部分は従来のハニカムの吸着剤の表面との接触はなくす。ハニカムの表面と全く分離して回転部を設けることで、漏れ、圧力の逃げを防ぎ、ハニカム吸着剤はポリエステルチップのような微細な結晶有機物、Ｎａイオン等の水以外の不純物対策を行い、圧力変動のない安定した長期の低露点のエアーの循環式除湿発生機を提供するものである。
【課題を解決するための手段】
【００２１】
本発明の請求項１に係る高圧用低露点除湿エアー発生装置は、フレーム内部に設けたモーター駆動する回転軸と、当該回転軸を中心軸として配された円形の第１回転止め具付接触板と第２固定接触板と、当該回転ボックスプレート及び第２回転ボックスプレートはとの間に配された円筒状の吸着筒とを備え、前記１回転ボックスプレート及び第２回転ボックスプレートは架台に固定され、前記吸着筒は回転軸を中心として回転可能に配されており、前記吸着筒は、モーターの回転により所定間隔をおいて間欠回転することを特徴とするものである。
【００２２】
本発明の請求項２に係る高圧用低露点除湿エアー発生装置は、上記請求項１に記載の構成に加えて、前記吸着筒は、第１回転ボックスプレート（ボックス型のプレート）及び第２回転ボックスプレート（ボックス型のプレート）と、当該第１回転ボックスプレートと第２回転ボックスプレートとの間に順次挟み込まれた第１パッキン、第１ハニカムローター、第２パッキン、第２ハニカムローター及び第３パッキンとを一体に固定したものであることを特徴とするものである。
【００２３】
本発明の請求項３に係る高圧用低露点除湿エアー発生装置は、上記請求項２に記載の構成に加えて、前記第１ハニカムローター及び第２ハニカムローターは、それぞれ主として多数の小孔を有するハニカム構造の吸着剤から構成されていることを特徴とするものである。
【００２４】
本発明の請求項４に係る高圧用低露点除湿エアー発生装置は、上記請求項２又は３に記載の構成に加えて、前記第１回転止め具付接触板は第１回転ボックスプレートに接触して配され、第２固定接触板は第２回転ボックスプレートに接触して配されるものであって、第１回転ボックスプレート及び第２回転ボックスプレートは、第１回転止め具付接触板との接触面及び第２固定接触板との接触面に、それぞれポリテトラフルオロエチレンを焼き付けコーティングしてなることを特徴とするものである。
【００２５】
本発明の請求項５に係る高圧用低露点除湿エアー発生装置は、上記請求項１〜４のいずれか１項に記載の構成に加えて、前記第１回転止め具付接触板は、隣り合う２つの乾燥エアー入口穴と、当該乾燥エアー入口穴と隣り合う冷却エアー出口穴及び再生エアー入口穴とを有しており、前記２つの乾燥エアー入口穴はその２つの穴を覆うフードを介して乾燥エアー入口管に接続され、前記冷却エアー出口穴は冷却エアー出口管に接続され、前記再生エアー入口穴は再生エアー入口管に接続され、前記第２固定接触板は、隣り合う２つの乾燥エアー出口穴と、当該乾燥エアー出口穴と隣り合う冷却エアー入口穴と再生エアー出口穴とを有しており、前記２つの乾燥エアー出口穴はその２つの穴を覆うフードを介して乾燥エアー出口管に接続され、前記冷却エアー入口穴は冷却エアー入口管に接続され、前記再生エアー出口穴は再生エアー出口管に接続されていることを特徴とするものである。
【００２６】
本発明の請求項６に係る高圧用低露点除湿エアー発生装置は、上記請求項５に記載の構成に加えて、前記冷却エアー出口穴及び再生エアー入口穴は、それぞれ前記第１回転止め具付接触板を回転軸を中心として６等分に分割した扇型の区画部の所定の位置に形成された穴であり、前記２つの乾燥エアー入口穴は、それぞれ前記第１回転止め具付接触板を回転軸を中心として６等分に分割した扇型の区画部の所定の位置の穴を２個連続させた扇形の２区画部の範囲にわたるように形成され、前記冷却エアー入口穴及び再生エアー出口穴は、それぞれ前記第２固定接触板を回転軸を中心として６等分に分割した扇型の区画部の所定の位置に形成された穴であり、前記２つの乾燥エアー出口穴は、それぞれ前記第２固定接触板を回転軸を中心として６等分に分割した扇型の区画部の所定の位置の穴を２個連続させた扇形の２区画部の範囲にわたるように形成され、前記第１回転ボックスプレート、第２回転ボックスプレート、第１パッキン、第１ハニカムローター、第２パッキン、第２ハニカムローター及び第３パッキンは、それぞれ回転軸を中心として６０°ずつ、に揃えて区画されており、前記第１回転ボックスプレート及び第２回転ボックスプレートには、回転軸を中心として６等分に分割した扇型の区画部の所定の位置に通気穴が形成されており、前記吸着筒は、モータの回転により６０°の間隔をおいて間欠回転することを特徴とするものである。
【発明の効果】
【００２７】
本発明に係る高圧用低露点除湿エアー発生装置は、上記のように構成したことにより、従来の除湿エアー発生装置における欠点を解消することが可能となった。
【図面の簡単な説明】
【００２８】
【図１】本発明の実施例１に係る高圧用低露点除湿エアー発生装置と出願人が開発した特許第３９９３３６０号の粒状合成樹脂材料の結晶乾燥装置と特願２０１３−１５２８２３号のポリエステルチップの予備結晶化装置とを組み合わせた使用例を示す模式図である。
【図２】本発明の実施例１に係る高圧用低露点除湿エアー発生装置のエアーの流れを示す概略斜視図である。
【図３】本発明の実施例１に係る高圧用低露点除湿エアー発生装置の概略正面断面図である。
【図４】本発明の実施例１に係る高圧用低露点除湿エアー発生装置の概略平面図である。
【図５】本発明の実施例１に係る高圧用低露点除湿エアー発生装置の概略底面図である。
【図６】本発明の実施例１に係る高圧用低露点除湿エアー発生装置の概略分解斜視図であり、図中（ａ）は第１固定接触板の裏面を表す斜視図である。
【図７】本発明の実施例１に係る高圧用低露点除湿エアー発生装置における要部概略分解斜視図であり、図中（ａ）は第１固定接触板の裏面を表す斜視図である。
【図８】本発明の実施例１に係る高圧用低露点除湿エアー発生装置におけるハニカムローターの概略平面図である。
【図９】本発明の実施例１に係る高圧用低露点除湿エアー発生装置におけるハニカムローターの概略正面図である。
【図１０】本発明の実施例１に係る高圧用低露点除湿エアー発生装置における第１回転止め具付接触板又は第２固定接触板とフード付き乾燥エアー入口管又はフード付き乾燥エアー出口管との相対位置関係を示す概略図であって、図中（ａ）は第１回転止め具付接触板又は第２固定接触板の概略図であり、図中（ｂ）は第１回転止め具付接触板又は第２固定接触板にフード付き乾燥エアー入口管又はフード付き乾燥エアー出口管を設置した状態を示す概略図である。
【図１１】本発明の実施例１に係る高圧用低露点除湿エアー発生装置における第１回転止め具付接触板又は第２固定接触板と吸着筒における第１回転ボックス型プレート又は第２回転ボックス型プレートとの相対位置関係を示す概略図であり、図中（ａ）は第１回転ボックス型プレート又は第２回転ボックス型プレートの概略図であり、図中（ｂ）は第１回転止め具付接触板又は第２固定接触板に対して、吸着筒における第１回転ボックス型プレート又は第２回転ボックス型プレートを６０°回転させた状態を示す概略図であり、図中（ｃ）は第１固定接触板又は第２固定接触板に対して、吸着筒における第１回転ボックス型プレート又は第２回転ボックス型プレートが３０°回転した後の状態を示す概略図である。
【図１２】従来例を示す概略図である。
【発明を実施するための形態】
【００２９】
エアー中の水分と不純物を吸着する回転駆動する吸着筒の構造は、エアーの投入及び排出に関係する分散板と、上下のフード付き固定接触板と、当該フード付き固定接触板にそれぞれ面接触しているバッチ回転用の止め具付きの上下の回転ボックスプレートと、上下の回転ボックスプレートにて、２層にパッキンを通して６等分に分割された主として吸着剤よりなるハニカムローターを挟み込む構造である。各回転ボックスプレートをバッチにて回転する間は、乾燥ラインは閉鎖されることがない開口構造とする。再生エアー、冷却ラインが乾燥ラインと回転中にハニカムローター内の左右に、回転接触部の、高圧の変動する圧力に対しても、エアーの漏れの流れることがない構造である。回転ボックスプレートは仕切った６等分に分割した区画部とエアーの通過口、停止部とフード付き回転止め具付接触板４分割穴と図面Ａに提示された構造の発明。
【００３０】
６等分吸着筒の構造は、回転ボックスプレートとフード付き回転止め具付接触板のバッチ回転での面接触の平面の面積を十分に設けることと、約２０％の開口部で他は面接触部を持つことである。各プレートの接触面は、テフロン（登録商標）ポリテトラフルオロエチレンの焼き付けコーテニングを行う。プレートの面接触は、回転縦軸を使用して、上部の静止フード付き回転止め具付接触板を常に持ち上げる。下部は回転ボックスプレートを持ち上げることで、接触面の負荷を調整可能な構造とする。６ｓ回転時間／６００ｓ休止を運転の一例とする。約１時間で１回転行う。
【００３１】
長期にわたる吸着物の吸脱着の運転中に、未脱着物の負荷をローターに堆積しない構造と、ハニカムは賦活の可能な、親水性の金属珪酸塩合成結合したハニカム吸着剤の物性とする。吸着剤は４μ以下の均一な比表面積の大きな従来の吸着剤の数倍の吸着能力を有する、ゼオライトの吸着剤を使用する。バッチの回転速度は可変であるべきであるが２ｒｐｈを超えることは無い。回転の負荷は回転ロータを人の手で回転できる面接触負荷である。回転による揺れを接触面にかからないように、クッション受けと、クッションの力を調整可能な構造とする。フード付き回転止め当り具つき接触板は約７０％の乾燥ゾーンの中間部に流れやすい構造にすることと、冷却されたものは、回転後フードの左の部分の端の位置に止める。乾燥の出口部は冷却と同じく流れにくい、フードの構造の端に移動して止める。このことで温度負荷の関係で最も安定した、乾燥ゾーンの中間にエアーは流れることで、低露点を得ることができる。再生後、吸着後のゾーンにはエアーの流れる量を少なくする。
【００３２】
吸着剤は３００Ｌ（４００Ｌ＋２００Ｌでも良いがバランスが良くない）の吸着筒の、ハニカムローターはパッキンを挟んで回転しない固定の２層と、６等分に通し板にて分割された構造にすることが、発明の必須である。２層の吸着筒は上下に回転ボックスプレートの６等分した区画部に分けられた仕切り板の端面で、パッキンを挟み込み、側面に通しボルトの４本で締めつけて２層は固定された状態で、二つの吸着筒は上下に回転ボックスプレートと一体の６等分した区画部と吸着筒の６等分した区画部の扇方の筒を一体として形成されている。２層の中間にパッキンを挟み込む理由と、３００Ｌの２層にして、６００Ｌ１本の吸着筒を使用しない理由は、乱流で投入されたエアーはハニカムローターの中を通過するが、低露点を得るには変流は許されず、投入時の高負荷のエアーは３００Ｌの半分で吸着される。次の３００Ｌのハニカムローターを通過する前に中間出口で空間に逢うと、拡散の抵抗係数がかかる、次に投入されるハニカムローターの３００Ｌの網目への抵抗係数がかかる。ここで、変流されたエアーは混合される。次のハニカムローターの通路で拡散混合されて、乱流による均等な分散エアーになって次の吸着剤を通過する。このことで、低露点（−７０℃）の水分の吸着が可能になる。有機物、結晶粉等の変流、再生の変流による、負荷の堆積のエアーの偏りを防ぐ発明である。
【００３３】
再生エアーは除湿エアーの流れの逆の方向から、吸着剤は賦活される。高温部で、エアーの出口に近い吸着剤から賦活を行うことで、出口の低水分の捕集カをあげる。再生エアーは、外気のみの循環で供給する。一部排出して一部外気を取り入れる。冷却エアーは循環ラインの戻りエアーを使用して、冷却後のエアーは元のラインに戻して負荷のエアーを冷却しすぎる場合の不具合をなくし、省エネ構造とする。湿度が６０℃１００％前後までの外気を導入した再生エアーの循環で、入り口温度２００℃前後に設定する。６分割の扇の一筒の出口温度がほぼ１５０℃に達して３分前後で１０分後に再生は終わり（回転をする。上記数値は目安とする。）、約６ｓ回転時間／６００ｓ休止１時間で１回転行うことが一例である。外気は一部導入して一部破棄をする。
【００３４】
冷却水の温度は３５℃として、４０度以上で低露点を出す循環ラインを得ることが可能である。本発明に係る低露点エアー発生機は、出願人開発の特許３９９３３６０号の粒状合成樹脂材料の結晶乾燥装置を動かすには、圧力変動をラインに生じさせない低露点エアー発生機としての必須機器である。負圧、高圧による、回転による漏れを防いで、瞬間の圧力の変動を数十ｍｍａｑ以下にする低露点（−７０℃以下、水分は限りなく０に近い）エアー発生機の考案として発明された。低露点だけではなくて、圧力変動、風量変動の少ない除湿機が発明された。
【００３５】
低露点除湿エアーと閉ループのラインの圧力変動と漏れは、除湿発生機の駆動部と静止の回転部の隙間の漏れを。高圧、負圧の吸引と漏れを防ぐことができない。スライド面の偏芯を防いで、出口の配管とのつなぎ荷重と、偏芯、揺れによる上下部のフードへの影響を防ぐ方法が必須である。図に示した方法にて全く荷重がかからない繋ぎフレキと、負荷となる配管の前後左右調整構造とする発明である。
【００３６】
フード付き回転止め具付接触板と、回転ボックスプレートの分割部の回転接触部を別に設ける。ハニカムローターを６等分に仕切る壁を設ける。このことは、乾燥ゾーン、再生ゾーン、冷却ゾーンへの漏れ以外に圧力の逃げによるラインのエアーの流れの変動を防ぐ。
【００３７】
回転はバッチにて、再生ゾーンの熱容量係数の必要な時間を回転の休止中に加温して、吸着剤、吸着物に顕熱を与えることで、不純物の除去を完全に行う。基本は１０分ごとに１／６の回転を行う。休止時間を可変することは可能である。冷却ゾーンは水分を吸着できない温度、８０℃以下までに、十分冷却を行う。数値は目安の値である。
【００３８】
回転駆動するときには、フード付き回転止め具付接触板との面接触している分散板付の回転止め付の回転ボックスプレートと、互いのエアーの通過部の開口部を回転ボックスプレートがバッチにて回転する間は、乾燥ラインは閉鎖されることのない開口構造とする。再生エアー、冷却ラインが乾燥ラインと回転中に、圧力とエアーの漏れがない、回転部６穴、停仕部４穴と図面に提示されている構造とする。フードの出口、入口の配管と乾燥機の循環配管との連結部にフレキシブルで連結するにあたって、フードが回転時にフレキに引っ張られたり、押さえられたりして、回転部の隙間を生じたりすることのない構造とする。不要な力が影響しない、回転の重心を縦軸の中心に置く、調整可能な構造とする。
【００３９】
ハニカムローターの表面の強度補強には、有機物で燃焼する危険を避けるために、無機質のシリカ系を使用する。０．０１μ〜１μの、オリゴマーの除去温度３５０°の対策を行う。Ｎａイオンは耐熱性、吸着能力をゼオライトから奪う。対策として、温水で洗浄可能な強度をハニカムローターに確立する。
【００４０】
ポリエステルチップの乾燥は初期水分が４０００ｐｐｍ前後である。有機化合物（特に難敵のオリゴマー等）、Ｎａなどがエアーに混入される。水分量ではなくて、粉等の不純物の除去と、十分な吸着剤の賦活を行うことの、循環ラインとしての機器の附設が長期の低露点を得るための必須である。循環ラインの圧力は負圧と高圧の場合も想定した回転部分の漏れを考慮しない機器は使用できない。入口の圧力の許容値等の考慮されない入出口の絶対湿度のみの条件提示は意味がない。
【００４１】
なお、下記表１として℃露点と水分ｐｐｍとの換算表を添付する。
【００４２】
【表１】
2015024399.tif 000003
【００４３】
次に本発明の好適な実施例を添付の図面に基づいて詳細に説明する。
【実施例１】
【００４４】
図１に示すＡは、本実施例に係る高圧用低露点除湿エアー発生装置を示し、当該高圧用低露点除湿エアー発生装置Ａは、その一例として、出願人が開発した特許３９９３３６０号の粒状合成樹脂材料の結晶乾燥装置Ｂと特願２０１３−１５２８２３号のポリエステルチップの予備結晶化装置Ｃとに接続して使用される。また、図２は、本実施例に係る高圧用低露点除湿エアー発生装置Ａにおいて、当該高圧用低露点除湿エアー発生装置Ａを通過するエアーの流れを示している。
【００４５】
図３〜図７は、本実施例に係る高圧用低露点除湿エアー発生装置Ａを示すものであり、フレーム１の内部に回転軸２が備えられ、当該回転軸２はモーター３により回転駆動する。当該モーター３は、例として回転軸２を６０°ずつの間欠運転するように制御され、かつ、６０°回転し、１０分間停止して約１時間で１回転するように制御されている。
【００４６】
４は高圧用低露点除湿エアー発生装置Ａの上部に配された第１回転止め具付接触板であり、５は高圧用低露点除湿エアー発生装置Ａの下部に配された第２固定接触板でる。これら第１回転止め具付接触板４及び第２固定接触板５は、回転軸２を中心軸として配された円形の形状をなすものであり、いずれも回転しないようにフレーム１に固定されている。そして、当該第１回転止め具付接触板４と第２固定接触板５との間に円筒状の吸着筒１０が備えられており、当該吸着筒１０は、回転軸２を中心として回転可能に配されている。したがって、吸着筒１０は、前記のように制御されたモーター１０の回転により、６０°回転し、１０分間停止して約１時間で１回転することになる。
【００４７】
そして、上記吸着筒１０は、次の構成を備える。すなわち、吸着筒１０は、その上部に天板と円筒枠とからなるボックス型のプレートよりなる第１回転ボックスプレート１１と、吸着筒１０の下部に同じく底板と円筒枠とからなるボックス型のプレートよりなる第２回転ボックスプレート１２を備えている。
【００４８】
これら第１回転ボックスプレート１１と第２回転ボックスプレート１２との間に、上から順に第１パッキン１３、第１ハニカムローター１４、第２パッキン１５、第２ハニカムローター１６及び第３パッキン１７が挟み込まれている。また、第１回転ボックスプレート１１と第２回転ボックスプレート１２とは、その間に両端にネジを有する複数のネジ棒１８が架け渡されており、各ネジ棒１８は第１回転ボックスプレート１１及び第２回転ボックスプレート１２の各周縁に設けられた係合部に挿通されてナット止めすることにより、第１回転ボックスプレート１１と第２回転ボックスプレート１２との間に第１パッキン１３、第１ハニカムローター１４、第２パッキン１５、第２ハニカムローター１６及び第３パッキン１７が挟み込まれて一体化されている。前記第１ハニカムローター１４及び第２ハニカムローター１６は、それぞれ主として多数の小孔を有するハニカム構造の吸着剤から構成されている。
【００４９】
上記の第１固定接触板４は第１回転ボックスプレート１１に接触して配されており、第１回転ボックスプレート１１における第１回転止め具付接触板との接触面は、ポリテトラフルオロエチレンを焼き付けコーティングされており、第１固定接触板４に対して第１回転ボックスプレート１１はスムーズに回転し、かつ、第１回転止め具付接触板４と第１回転ボックスプレート１１との隙間からエアー漏れが発生しないようになっている。また、同様に、第２固定接触板５は第２回転ボックスプレート１２に接触して配されており、第２回転ボックスプレート１２における第２固定接触板５との接触面は、ポリテトラフルオロエチレンを焼き付けコーティングされており、第２固定接触板５に対して第２回転ボックスプレート１２スムーズに回転し、かつ、第２固定接触板５と第２回転ボックスプレート１２との隙間からエアー漏れが発生しないようになっている。
【００５０】
そして、上記の第１固定接触板４には、図４に示すように、隣り合う２つの乾燥エアー入口穴４ａ、４ｂと、当該乾燥エアー入口穴４ａ、４ｂと隣り合う冷却エアー出口穴４ｃ及び再生エアー入口穴４ｄとが形成されている。また、前記２つの乾燥エアー入口穴４ａ、４ｂはその２つの穴を覆うフード２１を介して乾燥エアー入口管２２に接続されている。前記冷却エアー出口穴４ｃは冷却エアー出口管２３に接続され、前記再生エアー入口穴４ｄは再生エアー入口管２４に接続されている。上記の第２固定接触板５は、図５に示すように、隣り合う２つの乾燥エアー出口穴５ａ、５ｂと、当該乾燥エアー出口穴５ａ、５ｂと隣り合う冷却エアー入口穴５ｃと再生エアー出口穴５ｄとを有しており、前記２つの乾燥エアー出口穴５ａ、５ｂはその２つの穴を覆うフード３１を介して乾燥エアー出口管３２に接続され、前記冷却エアー入口穴５ｃは冷却エアー入口管３３に接続され、前記再生エアー出口穴５ｄは再生エアー出口管３４に接続されている。すなわち、図６及び図７に示すように、第１回転止め具付接触板４における乾燥エアー入口穴４ａ、４ｂは第２固定接触板５における乾燥エアー出口穴５ａ、５ｂに対応しており、第１回転止め具付接触板４における冷却エアー出口穴４ｃは第２固定接触板５における冷却エアー入口穴５ｃに対応しており、第１回転止め具付接触板４における再生エアー入口穴４ｄは第２固定接触板５における再生エアー出口穴５ｄに対応している。
【００５１】
また、上記の冷却エアー出口穴４ｃ及び再生エアー入口穴４ｄは、図４に示すように、それぞれ前記第１回転止め具付接触板４を、回転軸２を中心として６等分に分割（図中のａ〜ｆは分割線を示す。）した扇型の区画部の所定の位置に形成された穴である。前記２つの乾燥エアー入口穴４ａ、４ｂは、それぞれ前記第１回転止め具付接触板４を、回転軸２を中心として６等分に分割した扇型の区画部の所定の位置の穴を２個連続させた扇形の２区画部の範囲にわたるように形成されている。すなわち、分割線ｃ及びｄで囲まれる扇形の区画部の中央部に冷却エアー出口穴４ｃが形成されている。分割線ｄ及びｅで囲まれる扇形の区画部の中央部に再生エアー入口穴４ｄが形成されている。分割線ｅ及びａで囲まれる扇形の区画部の中央部に乾燥エアー入口穴４ａが形成されている。分割線ａ及びｃで囲まれる扇形の区画部の中央部に乾燥エアー入口穴４ｂが形成されている。図１０（ａ）には、冷却エアー出口穴４ｃ、再生エアー入口穴４ｄ及び乾燥エアー入口穴４ａ、４ｂが形成されている第１固定接触板４が示されており、図１０（ｂ）には、乾燥エアー入口穴４ａ、４ｂを１つのフード２１で覆って乾燥エアー入口管２２に接続されている状態が示されている。
【００５２】
上記の冷却エアー入口穴５ｃ及び再生エアー出口穴５ｄは、図５に示すように、それぞれ前記第２固定接触板５を、回転軸２を中心として６等分に分割（図中のａ’〜ｆ’は分割線を示す。）した扇型の区画部の所定の位置に形成された穴である。前記２つの乾燥エアー出口穴５ａ、５ｂは、それぞれ前記第２固定接触板５を回転軸２を中心として６等分に分割した扇型の区画部の所定の位置の穴を２個連続させた扇形の２区画部の範囲にわたるように形成されている。すなわち、分割線ｄ’及びｅ’で囲まれる扇形の区画部の中央部に冷却エアー入口穴５ｃが形成されている。分割線ｃ’及びｄ’で囲まれる扇形の区画部の中央部に再生エアー出口穴５ｄが形成されている。分割線ｅ’及びａ’で囲まれる扇形の区画部の中央部に乾燥エアー出口穴５ｂが形成されている。分割線ａ’及びｃ’で囲まれる扇形の区画部の中央部に乾燥エアー出口穴５ａが形成されている。なお、図１０（ａ）（ｂ）に示す図は、冷却エアー入口穴５ｃ、再生エアー出口穴５ｄ及び乾燥エアー出口穴５ａ、５ｂに対しても、構成としては同様である。
【００５３】
そして、図６〜図９に示すように、上記の各分割線に一致させて、第１回転ボックスプレート１１、第２回転ボックスプレート１２、第１パッキン１３、第１ハニカムローター１４、第２パッキン１５、第２ハニカムローター１６及び第３パッキン１７は、それぞれ回転軸２を中心として６０°ずつに揃えて区画されている。
【００５４】
また、図７に示すように、前記第１回転ボックスプレート１１には、回転軸２を中心として６等分に分割した扇型の区画部の所定の位置に通気穴ｓ１〜ｓ６が形成されており、同様に第２回転ボックスプレート１２には、回転軸２を中心として６等分に分割した扇型の区画部の所定の位置に通気穴ｔ１〜ｔ６が形成されている。そして、通気穴ｓ１は第１パッキン１３、第１ハニカムローター１４、第２パッキン１５、第２ハニカムローター１６及び第３パッキン１７における６０°ずつに揃えて区画された領域の１つを経て通気穴ｔ１に達するようになっており、吸着筒１０は前述したように、第１回転ボックスプレート１１から第２回転ボックスプレート１２まで一体構成されているので、通気穴ｓ２〜ｓ６は第１パッキン１３、第１ハニカムローター１４、第２パッキン１５、第２ハニカムローター１６及び第３パッキン１７における６０°ずつに揃えて区画された領域の１つを経てそれぞれ通気穴ｔ２〜ｔ６に達するように構成されている。
【００５５】
したがって、図１１（ａ）に示す通気穴ｓ１〜ｓ６は、吸着筒１０がモーター駆動により６０°ずつ回転すると、通気穴ｓ１〜ｓ６と第１固定接触板における冷却エアー出口穴４ｃ、再生エアー入口穴４ｄ及び乾燥エアー入口穴４ａ、４ｂとの相対位置が６０°ずつ変位することになる。図１１（ｂ）は図１１（ａ）に示す状態から吸着筒１０を６０°回転させた状態を示す。同様に、吸着筒１０がモーター駆動により６０°ずつ回転すると、通気穴ｔ１〜ｔ６と第２固定接触板５における冷却エアー入口穴５ｃ、再生エアー出口穴５ｄ及び乾燥エアー出口穴５ａ、５ｂとの相対位置が６０°ずつ変位することになる。なお、図１１（ｃ）に示すように、吸着筒１０が６０°ずつ回転する途中の例えば、３０°の位置においても、乾燥エアー入口穴４ａ、４ｂは、通気穴ｓ１〜ｓ６のいずれかが乾燥エアー入口穴４ａ、４ｂに対応するので、塞がれることはない。このことは、乾燥エアー出口穴５ａ、５ｂについても同様である。
【００５６】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５７】
Ａ…高圧用低露点除湿エアー発生装置
Ｂ…粒状合成樹脂材料の結晶乾燥装置
Ｃ…ポリエステルチップの予備結晶化装置
１…フレーム
２…回転軸
３…モーター
４…第１固定接触板
４ａ、４ｂ…乾燥エアー入口穴
４ｃ…冷却エアー出口穴
４ｄ…再生エアー入口穴
５…第２固定接触板
５ａ、５ｂ…乾燥エアー出口穴
５ｃ…冷却エアー入口穴
５ｄ…再生エアー出口穴
１０…吸着筒
１１…第１回転ボックスプレート
１２…第２回転ボックスプレート
１３…第１パッキン
１４…第１ハニカムローター
１５…第２パッキン
１６…第２ハニカムローター
１７…第３パッキン
１８…ネジ棒
２１…フード
２２…乾燥エアー入口管
２３…冷却エアー出口管
２４…再生エアー入口管
３１…フード
３２…乾燥エアー出口管
３３…冷却エアー入口管
３４…再生エアー出口管
ａ〜ｆ…分割線
ａ’〜ｆ’…分割線
ｓ１〜ｓ６…通気穴
ｔ１〜ｔ６…通気穴
【図１】
2015024399.tif 000004
【図２】
2015024399.tif 000005
【図３】
2015024399.tif 000006
【図４】
2015024399.tif 000007
【図５】
2015024399.tif 000008
【図６】
2015024399.tif 000009
【図７】
2015024399.tif 000010
【図８】
2015024399.tif 000011
【図９】
2015024399.tif 000012
【図１０】
2015024399.tif 000013
【図１１】
2015024399.tif 000014
【図１２】
2015024399.tif 000015
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
フレーム内部に設けたモーター駆動する回転軸と、当該回転軸を中心軸として縦型に配された円形の第１回転止め具付接触板と第２固定接触板と、当該第１回転止め具付接触板と第２固定接触板との間に配された円筒状の吸着筒とを備え、
前記第１回転止め具付接触板及び第２固定接触板は架台に固定され、前記吸着筒は回転軸を中心として回転可能に配されており、
前記吸着筒は、多数の透孔を有し、吸着剤を一体とするハニカムを備え、該ハニカムは、縦方向に挿入した通し板を介して等分の扇状に分割され、等分の扇状毎にモーターの回転により所定間隔をおいて間欠回転する
ことを特徴とする高圧用低露点除湿エアー発生装置。
【請求項２】
前記吸着筒は、第１回転ボックスプレート及び第２回転ボックスプレートと、当該第１回転ボックスプレートと第２回転ボックスプレートとの間に順次狭み込まれた第１パッキン、第１ハニカムローター、第２パッキン、第２ハニカムローター及び第３パッキンとを一体に固定したものである
ことを特徴とする請求項１に記載の高圧用低露点除湿エアー発生装置。
【請求項３】
前記第１ハニカムローター及び第２ハニカムローターは、それぞれ多数の透孔を有し、吸着剤を一体とするハニカムであって、当該ハニカムは縦方向に挿入した通し板を介して６等分の扇状に分割され、６等分の扇状毎にバッチ回転をする
ことを特徴とする請求項２に記載の高圧用低露点除湿エアー発生装置。
【請求項４】
前記第１回転止め具付接触板は第１回転ボックスプレートに接触して配され、第２固定接触板は第２回転ボックスプレートに接触して配されるものであって、第１回転ボックスプレート及び第２回転ボックスプレートは、第１回転止め具付接触板との接触面及び第２固定接触板との接触面に、それぞれポリテトラフルオロエチレンを焼き付けコーティングしてなる
ことを特徴とする請求項２又は３に記載の高圧用低露点除湿エアー発生装置。
【請求項５】
前記第１回転止め具付接触板は、隣り合う２つの乾燥エアー入口穴と、当該乾燥エアー入口穴と隣り合う冷却エアー出口穴及び再生エアー入口穴とを有しており、
前記２つの乾燥エアー入口穴はその２つの穴を覆う第１回転ボックスプレート上のフードを介して乾燥エアー入口管に接続され、前記冷却エアー出口穴は冷却エアー出口管に接続され、前記再生エアー入口穴は再生エアー入口管に接続され、
前記第２固定接触板は、隣り合う２つの乾燥エアー出口穴と、当該乾燥エアー出口穴と隣り合う冷却エアー入口穴及び再生エアー出口穴とを有しており、
前記２つの乾燥エアー出口穴はその２つの穴を覆う第２回転ボックスプレート上のフードを介して乾燥エアー出口管に接続され、前記冷却エアー入口穴は冷却エアー入口管に接続され、前記再生エアー出口穴は再生エアー出口管に接続されている
ことを特徴とする請求項１〜４のいずれか１項に記載の高圧用低露点除湿エアー発生装置。
【請求項６】
前記冷却エアー出口穴及び再生エアー入口穴は、それぞれ前記第１回転止め具付接触板を回転軸を中心として６等分に分割した扇型の区画部の所定の位置に形成された穴であり、
前記２つの乾燥エアー入口穴は、それぞれ前記第１回転止め具付接触板を回転軸を中心として６等分に分割した扇型の区画部の所定の位置の穴を２個連続させた扇形の２区画部の範囲にわたるように形成され、                      
前記冷却エアー入口穴及び再生エアー出口穴は、それぞれ前記第２固定接触板を回転軸を中心として６等分に分割した扇型の区画部の所定の位置に形成された穴であり、
前記２つの乾燥エアー出口穴は、それぞれ前記第２固定接触板を回転軸を中心として６等分に分割した扇型の区画部の所定の位置の穴を２個連続させた扇形の２区画部の範囲にわたるように形成され、
前記冷却エアー入口穴及び再生エアー出口穴は、それぞれ前記第２固定接触板を、回転軸を中心として６等分に分割した扇型の区画部の所定の位置に形成された穴であり、
前記２つの乾燥エアー出口穴は、それぞれ前記第２固定接触板を、回転軸を中心として６等分に分割した扇型の区画部の所定の位置の穴を２個連続させた扇形の２区画部の範囲にわたるように形成され、
前記第１回転ボックスプレート、第２回転ボックスプレート、第１パッキン、第１ハニカムローター、第２パッキン、第２ハニカムローター及び第３パッキンは、それぞれ回転軸を中心として６０°ずつ、に揃えて区画されており、
前記第１回転ボックスプレート及び第２回転ボックスプレートには、回転軸を中心として６等分に分割した扇型の区画部の所定の位置に通気穴が形成されており、
前記吸着筒は、モータの回転により６０°の間隔をおいて間欠回転する
ことを特徴とする請求項１〜５のいずれか１項に記載の高圧用低露点除湿エアー発生装置。
【手続補正２】
【補正対象書類名】明細書
【補正対象項目名】全文
【補正方法】変更
【補正の内容】
【発明の詳細な説明】
【技術分野】
【０００１】
本発明は、高圧用低露点除湿エアー発生装置に関し、特に、回転ボックスプレート内の６等分のボックス内に分散板を設けて、乱流域のエアーを、ハニカム吸着剤を６等分に分壁に仕切り、分割された、各分割部の吸着剤への流れと、ハニカム内のエアーの流れの均一化を図る高圧用低露点除湿エアー発生装置に関する。
【背景技術】
【０００２】
下記特許文献１には、放射状に延びるスポークにより断面円弧状に仕切られた多数の小透孔を有するハニカム構造のガス吸着素子からなる円弧状セクタを、ロータを画成する円筒形のリム内に各々配置し、これら各セクタとスポーク及びリムとの接合面間にシリコーン等のコーキング材を介して一体化し、スポークの軸方向端面に、該端面及び該端面の両側に接触する２つの前記円弧状セクタの接合部を覆う不燃材料製の板から成る遮熱シールを備えた回転型吸着機用ロータが示されている。
【０００３】
下記特許文献２には、基本フレームと、内周側ブロック、中外周側ブロック及び最外周側ブロックとを備え、基本フレームは、放射状に延びる複数のフィンを有し、複数の内周側ブロックは、基本フレームの内周側に円周状に配置され、２個の中外周側ブロックは、内周側ブロックの外周側に配置され、３個の最外周側ブロックは、中外周側ブロックの外周側に配置され、隣接する２つのフィンの間には、１個の内周側ブロックと、２個の中外周側ブロックと、３個の最外周側ブロックとが配置された除湿ロータ及びそれを用いた吸着装置が示されている。
【０００４】
下記特許文献３には、ボスより外周リングまで延びたスポークを設け、ガスの吸着作用を有するハニカム体をスポークの間に設けるとともに、ハニカム体の端面にスポーク付近の空気の流通を防ぐ遮熱板を設け、これによって、高温の脱着空気がスポーク付近を通過せず、脱着空気の熱がスポークに伝わらず、これによってスポークの熱膨張を少なくすることができ、熱膨張によるスポークとハニカム体との剥がれを防止することができるハニカム状吸着ロータが示されている。
【０００５】
下記特許文献４には、水分及び有機物を除去した乾燥空気を目的空間に供給する装置であって、吸着剤を担持して構成されると共に直列に連接してそれぞれ回転可能に支持された複数のロータと、これらロータの最外端部及びロータ間に配置され、ロータの回転域を吸着ゾーン、再生ゾーン及び冷却ゾーンに仕切する仕切部材と、前記吸引した空気を前記吸着ゾーンに通過させて水分及び有機物を除去した乾燥空気を前記目的空間に供給する供給経路と、前記乾燥空気の一部を前記冷却ゾーンに通過させた後、加熱して前記再生ゾーンに通過させて吸着剤から水分及び有機物を脱離させる排気経路、とを備えた乾燥空気供給装置が示されている。
【０００６】
下記特許文献５には、ハニカム状ローターの端面に接する平面を有し、その反対面に吸着ゾーンを形成する吸着チャンバーと脱着ゾーンを形成する脱着チャンバーとを形成し、吸着チャンバーと脱着チャンバーとがそれぞれ離間した状態で形成されているチャンバーユニットを一対設け、一対のチャンバーユニットのそれぞれがハニカム状ローターの両端面にそれぞれ接するよう取り付けた吸着式除湿機が示されている。
【０００７】
下記特許文献６には、２段直列のロータ素子構造体であって、それぞれのロータが、両端面に軸方向の中心側に向けて非貫通溝を、径方向の中心に中心孔をそれぞれ設けたハニカム状のロータ素子と、ロータ素子の外周を覆う外周リングと、中心孔に嵌合する円筒状のボス部と、外周リングとボス部を連結すると共に、ハニカム状ロータ素子の非貫通孔に嵌合する板状リブからなる第１フレームと、第１フレームと第２フレームとを連結する外周パネルとを備え、第１フレームのボス部の内側の先端部と第２フレームのボス部の内側の先端部とが嵌合するロータ素子構造体および乾燥空気供給装置が示されている。
【０００８】
下記特許文献７には、少なくもその内表面上に、空気中の水分を可逆的に吸収可能の吸湿材を有する複数の貫通孔を有する回転吸湿部材の一領域に被除湿空気を貫通させる除湿工程と、除湿された空気を装置外へ排出する工程と、該吸湿部材の他の領域に、ヒータにより加熱された再生用空気を貫通させ吸湿部材の再生を行う工程と、吸湿部材を再生した後の再生空気を冷却結露させる工程と、結露水を除去後の再生用空気をヒータで加熱し、上記工程に循環させる工程とを含む除湿方法で、再生用空気と被除湿空気とは実質的に混合されず、かつ、吸湿部材再生後の再生用空気と、吸湿部材に導入前の除湿すべき空気との間で熱交換させて前記工程を行い、再生用空気は上記熱交換以外の熱交換を行わない除湿方法及び装置が示されている。
【０００９】
下記特許文献８には、エンジンからの抽出空気を冷却装置により冷却してキャビン内に主空気流路を介して導入し、その抽出空気を補助空気流路によりキャビンに導き、そのキャビン内の空気を流出空気流路に流出し、複数の吸着部は、空気に含まれる分子を吸着し、吸着時よりも温度が上昇することで吸着した分子を放出する吸着剤により構成され、コントローラによる空気流路切替機構の制御により、各吸着部は、その補助空気流路に接続される状態と流出空気流路に接続される状態とに切替えられる航空機用空気調和装置が示されている。
【先行技術文献】
【特許文献】
【００１０】
【特許文献１】特開２００１−２７６５５２号公報
【特許文献２】特開２００３−１２６６４１号公報
【特許文献３】特開２００４−１１３８４４号公報
【特許文献４】特開２００４−３２１９６４号公報
【特許文献５】特開２００４−５７９９４号公報
【特許文献６】特開２００９−２０２０８３号公報
【特許文献７】特開平１１−２０７１３４号公報
【特許文献８】特開２００３−１６００９８号公報
【発明の概要】
【発明が解決しようとする課題】
【００１１】
ポリエステルチップは製膜用、繊維用、光学（太陽光パネル、ＴＶ等）用としてより高度な結晶化、低温乾燥機の圧力、風量、露点の変動の無い低露点除湿エアーの供給が求められている。
【００１２】
ポリエステルの溶融粘度の変化、ＣＯＯＨ、ＯＨの増加、IVの変化、溶液粘度等の、許容範囲である、押し出し機、射出成形機の出口の各値の物性の許容値を得るための、押し出し機の入り口に投入された乾燥チップは低温、短時間乾燥が必須条件である。（許容値は最大１６０℃１時間内の乾燥時間にて４０００ｐｐｍを２０ｐｐｍ以下に水分乾燥を行う。従来の乾燥機は５時間から１０時間を要する。変流によれば２４時間前後の滞留チップも多々生じている。）
乾燥機は、滞留時間、変流にまったく変化のない、短時間乾燥のチップであることが、各データーより、従来の乾燥機の実施の絶対条件である。
【００１３】
乾燥機内のチップの変流は許されない。このような乾燥機のシステムの一貫として発明された高圧用除湿エアー発生装置は乾燥機に、風量、圧力の変動しない、安定した低露点−７０℃以下（―７０℃＝０．０００１ｔｏｒｒ    ―６０℃  ０．００８ｔｏｒｒ    −７０℃は８０倍の乾燥速度を有する。）を供給する。
【００１４】
本発明は特に圧力変動と風量の変動とチップの変流の数％も許されない特許３９９３３６０号の機器（投入チップのグラス転移点の不安定なチップの前結晶化処理機を備えた）を運転する上での必須機として、吸着部を縦に６ボックスに分割された吸着剤に、エアーを均一に流す。
【００１５】
再生冷却、乾燥時の切り替えを、バッチにて回転を行って、６ゾーンに分割板にて分けた、ハニカムを２層にパッキンを介して保持した、一体型として回転させる。
【００１６】
回転部分は従来のハニカムの吸着剤の表面との接触は無くす。全くハニカムの表面と分離して回転部を設けることで、漏れ、圧力の逃げを防ぎ、ハニカム剤はポリエステルチップから発生される微細な結晶有機物、Ｎａイオン等の水以外の不純物対策を行う、圧力変動の無い、安定した長期の低露点のエアーの高圧循環式除湿発生機の発明である。
【００１７】
従来のエアーが一方向に通過する除湿エアー機は、大風量に対しては負荷が大きすぎて使用できない。負荷に対して外気に影響されない循環するエアーを使用するラインの除湿装置に対しては、入口圧力が大きくなると、除湿装置の回転によるエアー漏れによって、圧力の変動と露点の変動、さらにエアー漏れに対して追加する除湿エアーの供給量が大きくなる。このように除湿装置の必要性がなくなるのが、従来の連続回転の再生冷却乾燥ゾーンの切り替え方式の除湿エアー供給装置である。
【００１８】
また、従来のハニカム表面のシール材の線接触回転では、分割枠へのエアーの局部投入と、乱流エアーがハニカム状の網目を通過するのに、漏れ、圧力の逃げ、飛散を防ぎながら、均一な分散は不可能である。ハニカムローターはロール状に巻きつけて円筒の形状を保持しているが、仕切り板のない各ゾーンへの横漏れは防ぐことはできない。
【００１９】
さらに、図１２に示すように、従来の連続で回転しながら、休止することのないハニカムローターの弊害は、再生、冷却、乾燥ゾーンを設けることの大きな問題は、ローターの表面を直接どのような加工をしようが、駆動部分のハニカムの表面の両面の線接触による固定部との接触になることで、連続回転による圧力とエアーの逃げを防ぐことは不可能であることと、ロータ内部のロール加工の隙間の漏れを防ぐことができないことと、圧力バランスの崩れと入口、出口の負圧、加圧の高圧には使用等ができないことにある。漏れた量は補充するしかなくて悪循環が生じる。補充量が増えるばかりで、補充エアーは低露点を要求されることから、結局低露点を求めることが装置ではできず、低露点補充エアーでまかなったり、直列に２台以上の吸着装置を用いるのが現状である。
【００２０】
本発明は特に圧力変動の許されない出願人が開発した特許３９９３３６０号の粒状合成樹脂材料の結晶乾燥装置を運転する上での必須機として、吸着部を縦に６区画に分割された吸着剤にエアーを均一に流す。再生冷却、乾燥時の切り替えをバッチにて回転を行って、６ゾーンに分けたハニカムを２層にパッキンを介して保持した、一体型として回転させる。回転部分は従来のハニカムの吸着剤の表面との接触はなくす。ハニカムの表面と全く分離して回転部を設けることで、漏れ、圧力の逃げを防ぎ、ハニカム吸着剤はポリエステルチップのような微細な結晶有機物、Ｎａイオン等の水以外の不純物対策を行い、圧力変動のない安定した長期の低露点のエアーの循環式除湿発生機を提供するものである。
【課題を解決するための手段】
【００２１】
本発明の請求項１に係る高圧用低露点除湿エアー発生装置は、フレーム内部に設けたモーター駆動する回転軸と、当該回転軸を中心軸として縦型に配された円形の第１回転止め具付接触板と第２固定接触板と、当該第１回転止め具付接触板と第２固定接触板との間に配された円筒状の吸着筒とを備え、前記第１回転止め具付接触板及び第２固定接触板は架台に固定され、前記吸着筒は回転軸を中心として回転可能に配されており、前記吸着筒は、多数の透孔を有し、吸着剤を一体とするハニカムを備え、該ハニカムは、縦方向に挿入した通し板を介して等分（好ましくは６等分）の扇状に分割され、等分の扇状毎にモーターの回転により所定間隔をおいて間欠回転することを特徴とするものである。
【００２２】
本発明の請求項２に係る高圧用低露点除湿エアー発生装置は、上記請求項１に記載の構成に加えて、前記吸着筒は、第１回転ボックスプレート（ボックス型のプレート）及び第２回転ボックスプレート（ボックス型のプレート）と、当該第１回転ボックスプレートと第２回転ボックスプレートとの間に順次挟み込まれた第１パッキン、第１ハニカムローター、第２パッキン、第２ハニカムローター及び第３パッキンとを一体に固定したものであることを特徴とするものである。
【００２３】
本発明の請求項３に係る高圧用低露点除湿エアー発生装置は、上記請求項２に記載の構成に加えて、前記第１ハニカムローター及び第２ハニカムローターは、それぞれ多数の透孔を有し、吸着剤を一体とするハニカムであって、当該ハニカムは縦方向に挿入した通し板を介して６等分の扇状に分割され、６等分の扇状毎にバッチ回転をすることを特徴とするものである。
【００２４】
本発明の請求項４に係る高圧用低露点除湿エアー発生装置は、上記請求項２又は３に記載の構成に加えて、前記第１回転止め具付接触板は第１回転ボックスプレートに接触して配され、第２固定接触板は第２回転ボックスプレートに接触して配されるものであって、第１回転ボックスプレート及び第２回転ボックスプレートは、第１回転止め具付接触板との接触面及び第２固定接触板との接触面に、それぞれポリテトラフルオロエチレンを焼き付けコーティングしてなることを特徴とするものである。
【００２５】
本発明の請求項５に係る高圧用低露点除湿エアー発生装置は、上記請求項１〜４のいずれか１項に記載の構成に加えて、前記第１回転止め具付接触板は、隣り合う２つの乾燥エアー入口穴と、当該乾燥エアー入口穴と隣り合う冷却エアー出口穴及び再生エアー入口穴とを有しており、前記２つの乾燥エアー入口穴はその２つの穴を覆うフードを介して乾燥エアー入口管に接続され、前記冷却エアー出口穴は冷却エアー出口管に接続され、前記再生エアー入口穴は再生エアー入口管に接続され、前記第２固定接触板は、隣り合う２つの乾燥エアー出口穴と、当該乾燥エアー出口穴と隣り合う冷却エアー入口穴と再生エアー出口穴とを有しており、前記２つの乾燥エアー出口穴はその２つの穴を覆う第２回転ボックスプレート上のフードを介して乾燥エアー出口管に接続され、前記冷却エアー入口穴は冷却エアー入口管に接続され、前記再生エアー出口穴は再生エアー出口管に接続されていることを特徴とするものである。
【００２６】
本発明の請求項６に係る高圧用低露点除湿エアー発生装置は、上記請求項１〜５のいずれ１項に記載の構成に加えて、前記冷却エアー出口穴及び再生エアー入口穴は、それぞれ前記第１回転止め具付接触板を回転軸を中心として６等分に分割した扇型の区画部の所定の位置に形成された穴であり、前記２つの乾燥エアー入口穴は、それぞれ前記第１回転止め具付接触板を回転軸を中心として６等分に分割した扇型の区画部の所定の位置の穴を２個連続させた扇形の２区画部の範囲にわたるように形成され、前記冷却エアー入口穴及び再生エアー出口穴は、それぞれ前記第２固定接触板を回転軸を中心として６等分に分割した扇型の区画部の所定の位置に形成された穴であり、前記２つの乾燥エアー出口穴は、それぞれ前記第２固定接触板を回転軸を中心として６等分に分割した扇型の区画部の所定の位置の穴を２個連続させた扇形の２区画部の範囲にわたるように形成され、前記第１回転ボックスプレート、第２回転ボックスプレート、第１パッキン、第１ハニカムローター、第２パッキン、第２ハニカムローター及び第３パッキンは、それぞれ回転軸を中心として６０°ずつ、に揃えて区画されており、前記第１回転ボックスプレート及び第２回転ボックスプレートには、回転軸を中心として６等分に分割した扇型の区画部の所定の位置に通気穴が形成されており、前記吸着筒は、モータの回転により６０°の間隔をおいて間欠回転することを特徴とするものである。
【発明の効果】
【００２７】
本発明に係る高圧用低露点除湿エアー発生装置は、上記のように構成したことにより、従来の除湿エアー発生装置における欠点を解消することが可能となった。
【図面の簡単な説明】
【００２８】
【図１】本発明の実施例１に係る高圧用低露点除湿エアー発生装置と出願人が開発した特許第３９９３３６０号の粒状合成樹脂材料の結晶乾燥装置と特願２０１３−１５２８２３号のポリエステルチップの予備結晶化装置とを組み合わせた使用例を示す模式図である。
【図２】本発明の実施例１に係る高圧用低露点除湿エアー発生装置のエアーの流れを示す概略斜視図である。
【図３】本発明の実施例１に係る高圧用低露点除湿エアー発生装置の概略正面断面図である。
【図４】本発明の実施例１に係る高圧用低露点除湿エアー発生装置の概略平面図である。
【図５】本発明の実施例１に係る高圧用低露点除湿エアー発生装置の概略底面図である。
【図６】本発明の実施例１に係る高圧用低露点除湿エアー発生装置の概略分解斜視図であり、図中（ａ）は第１固定接触板の裏面を表す斜視図である。
【図７】本発明の実施例１に係る高圧用低露点除湿エアー発生装置における要部概略分解斜視図であり、図中（ａ）は第１固定接触板の裏面を表す斜視図である。
【図８】本発明の実施例１に係る高圧用低露点除湿エアー発生装置におけるハニカムローターの概略平面図である。
【図９】本発明の実施例１に係る高圧用低露点除湿エアー発生装置におけるハニカムローターの概略正面図である。
【図１０】本発明の実施例１に係る高圧用低露点除湿エアー発生装置における第１回転止め具付接触板又は第２固定接触板とフード付き乾燥エアー入口管又はフード付き乾燥エアー出口管との相対位置関係を示す概略図であって、図中（ａ）は第１回転止め具付接触板又は第２固定接触板の概略図であり、図中（ｂ）は第１回転止め具付接触板又は第２固定接触板にフード付き乾燥エアー入口管又はフード付き乾燥エアー出口管を設置した状態を示す概略図である。
【図１１】本発明の実施例１に係る高圧用低露点除湿エアー発生装置における第１回転止め具付接触板又は第２固定接触板と吸着筒における第１回転ボックス型プレート又は第２回転ボックス型プレートとの相対位置関係を示す概略図であり、図中（ａ）は第１回転ボックス型プレート又は第２回転ボックス型プレートの概略図であり、図中（ｂ）は第１回転止め具付接触板又は第２固定接触板に対して、吸着筒における第１回転ボックス型プレート又は第２回転ボックス型プレートを６０°回転させた状態を示す概略図であり、図中（ｃ）は第１固定接触板又は第２固定接触板に対して、吸着筒における第１回転ボックス型プレート又は第２回転ボックス型プレートが３０°回転した後の状態を示す概略図である。
【図１２】従来例を示す概略図である。
【発明を実施するための形態】
【００２９】
エアー中の水分と不純物を吸着する回転駆動する吸着筒の構造は、エアーの投入及び排出に関係する分散板と、上下のフード付き固定接触板と、当該フード付き固定接触板にそれぞれ面接触しているバッチ回転用の止め具付きの上下の回転ボックスプレートと、上下の回転ボックスプレートにて、２層にパッキンを通して６等分に分割された主として吸着剤よりなるハニカムローターを挟み込む構造である。各回転ボックスプレートをバッチにて回転する間は、乾燥ラインは閉鎖されることがない開口構造とする。再生エアー、冷却ラインが乾燥ラインと回転中にハニカムローター内の左右に、回転接触部の、高圧の変動する圧力に対しても、エアーの漏れの流れることがない構造である。回転ボックスプレートは仕切った６等分に分割した区画部とエアーの通過口、停止部とフード付き回転止め具付接触板４分割穴と図面Ａに提示された構造の発明。
【００３０】
６等分吸着筒の構造は、回転ボックスプレートとフード付き回転止め具付接触板のバッチ回転での面接触の平面の面積を十分に設けることと、約２０％の開口部で他は面接触部を持つことである。各プレートの接触面は、テフロン（デュポン社の登録商標）ポリテトラフルオロエチレンの焼き付けコーティニングを行う。プレートの面接触は、回転縦軸を使用して、上部の静止フード付き回転止め具付接触板を常に持ち上げる。下部は回転ボックスプレートを持ち上げることで、接触面の負荷を調整可能な構造とする。６ｓ回転時間／６００ｓ休止を運転の一例とする。約１時間で１回転行う。
【００３１】
長期にわたる吸着物の吸脱着の運転中に、未脱着物の負荷をローターに堆積しない構造と、ハニカムは賦活の可能な、親水性の金属珪酸塩合成結合したハニカム吸着剤の物性とする。吸着剤は４μ以下の均一な比表面積の大きな従来の吸着剤の数倍の吸着能力を有する、ゼオライトの吸着剤を使用する。バッチの回転速度は可変であるべきであるが２ｒｐｈを超えることは無い。回転の負荷は回転ロータを人の手で回転できる面接触負荷である。回転による揺れを接触面にかからないように、クッション受けと、クッションの力を調整可能な構造とする。フード付き回転止め当り具つき接触板は約７０％の乾燥ゾーンの中間部に流れやすい構造にすることと、冷却されたものは、回転後フードの左の部分の端の位置に止める。乾燥の出口部は冷却と同じく流れにくい、フードの構造の端に移動して止める。このことで温度負荷の関係で最も安定した、乾燥ゾーンの中間にエアーは流れることで、低露点を得ることができる。再生後、吸着後のゾーンにはエアーの流れる量を少なくする。
【００３２】
吸着剤は３００Ｌ（４００Ｌ＋２００Ｌでも良いがバランスが良くない）の吸着筒の、ハニカムローターはパッキンを挟んで回転しない固定の２層と、６等分に通し板にて分割された構造にすることが、発明の必須である。２層の吸着筒は上下に回転ボックスプレートの６等分した区画部に分けられた仕切り板の端面で、パッキンを挟み込み、側面に通しボルトの４本で締めつけて２層は固定された状態で、二つの吸着筒は上下に回転ボックスプレートと一体の６等分した区画部と吸着筒の６等分した区画部の扇方の筒を一体として形成されている。２層の中間にパッキンを挟み込む理由と、３００Ｌの２層にして、６００Ｌ１本の吸着筒を使用しない理由は、乱流で投入されたエアーはハニカムローターの中を通過するが、低露点を得るには変流は許されず、投入時の高負荷のエアーは３００Ｌの半分で吸着される。次の３００Ｌのハニカムローターを通過する前に中間出口で空間に逢うと、拡散の抵抗係数がかかる、次に投入されるハニカムローターの３００Ｌの網目への抵抗係数がかかる。ここで、変流されたエアーは混合される。次のハニカムローターの通路で拡散混合されて、乱流による均等な分散エアーになって次の吸着剤を通過する。このことで、低露点（−７０℃）の水分の吸着が可能になる。有機物、結晶粉等の変流、再生の変流による、負荷の堆積のエアーの偏りを防ぐ発明である。
【００３３】
再生エアーは除湿エアーの流れの逆の方向から、吸着剤は賦活される。高温部で、エアーの出口に近い吸着剤から賦活を行うことで、出口の低水分の捕集力をあげる。再生エアーは、外気のみの循環で供給する。一部排出して一部外気を取り入れる。冷却エアーは循環ラインの戻りエアーを使用して、冷却後のエアーは元のラインに戻して負荷のエアーを冷却しすぎる場合の不具合をなくし、省エネ構造とする。湿度が６０℃１００％前後までの外気を導入した再生エアーの循環で、入り口温度２００℃前後に設定する。６分割の扇の一筒の出口温度がほぼ１５０℃に達して３分前後で１０分後に再生は終わり（回転をする。上記数値は目安とする。）、約６ｓ回転時間／６００ｓ休止１時間で１回転行うことが一例である。外気は一部導入して一部破棄をする。
【００３４】
冷却水の温度は３５℃として、４０度以上で低露点を出す循環ラインを得ることが可能である。本発明に係る低露点エアー発生機は、出願人開発の特許３９９３３６０号の粒状合成樹脂材料の結晶乾燥装置を動かすには、圧力変動をラインに生じさせない低露点エアー発生機としての必須機器である。負圧、高圧による、回転による漏れを防いで、瞬間の圧力の変動を数十ｍｍａｑ以下にする低露点（−７０℃以下、水分は限りなく０に近い）エアー発生機の考案として発明された。低露点だけではなくて、圧力変動、風量変動の少ない除湿機が発明された。
【００３５】
低露点除湿エアーと閉ループのラインの圧力変動と漏れは、除湿発生機の駆動部と静止の回転部の隙間の漏れを、また、高圧、負圧の吸引と漏れを防ぐことができない。スライド面の偏芯を防いで、出口の配管とのつなぎ荷重と、偏芯、揺れによる上下部のフードへの影響を防ぐ方法が必須である。図に示した方法にて全く荷重がかからない繋ぎフレキと、負荷となる配管の前後左右調整構造とする発明である。
【００３６】
フード付き回転止め具付接触板と、回転ボックスプレートの分割部の回転接触部を別に設ける。ハニカムローターを６等分に仕切る壁を設ける。このことは、乾燥ゾーン、再生ゾーン、冷却ゾーンへの漏れ以外に圧力の逃げによるラインのエアーの流れの変動を防ぐ。
【００３７】
回転はバッチにて、再生ゾーンの熱容量係数の必要な時間を回転の休止中に加温して、吸着剤、吸着物に顕熱を与えることで、不純物の除去を完全に行う。基本は１０分ごとに１／６の回転を行う。休止時間を可変することは可能である。冷却ゾーンは水分を吸着できない温度、８０℃以下までに、十分冷却を行う。数値は目安の値である。
【００３８】
回転駆動するときには、フード付き回転止め具付接触板との面接触している分散板付の回転止め付の回転ボックスプレートと、互いのエアーの通過部の開口部を回転ボックスプレートがバッチにて回転する間は、乾燥ラインは閉鎖されることのない開口構造とする。再生エアー、冷却ラインが乾燥ラインと回転中に、圧力とエアーの漏れがない、回転部６穴、停止部４穴と図面に提示されている構造とする。フードの出口、入口の配管と乾燥機の循環配管との連結部にフレキシブルで連結するにあたって、フードが回転時にフレキシブルに引っ張られたり、押さえられたりして、回転部の隙間を生じたりすることのない構造とする。不要な力が影響しない、回転の重心を縦軸の中心に置く、調整可能な構造とする。
【００３９】
ハニカムローターの表面の強度補強には、有機物で燃焼する危険を避けるために、無機質のシリカ系を使用する。０．０１μ〜１μの、オリゴマーの除去温度３５０℃の対策を行う。Ｎａイオンは耐熱性、吸着能力をゼオライトから奪う。対策として、温水で洗浄可能な強度をハニカムローターに確立する。
【００４０】
ポリエステルチップの乾燥は初期水分が４０００ｐｐｍ前後である。有機化合物（特に難敵のオリゴマー等）、Ｎａなどがエアーに混入される。水分量ではなくて、粉等の不純物の除去と、十分な吸着剤の賦活を行うことの、循環ラインとしての機器の附設が長期の低露点を得るための必須である。循環ラインの圧力は負圧と高圧の場合も想定した回転部分の漏れを考慮しない機器は使用できない。入口の圧力の許容値等の考慮されない入出口の絶対湿度のみの条件提示は意味がない。
【００４１】
なお、下記表１として℃露点と水分ｐｐｍとの換算表を添付する。
【００４２】
【表１】
2015024399.tif 000016
【００４３】
次に本発明の好適な実施例を添付の図面に基づいて詳細に説明する。
【実施例１】
【００４４】
図１に示すＡは、本実施例に係る高圧用低露点除湿エアー発生装置を示し、当該高圧用低露点除湿エアー発生装置Ａは、その一例として、出願人が開発した特許３９９３３６０号の粒状合成樹脂材料の結晶乾燥装置Ｂと特願２０１３−１５２８２３号のポリエステルチップの予備結晶化装置Ｃとに接続して使用される。また、図２は、本実施例に係る高圧用低露点除湿エアー発生装置Ａにおいて、当該高圧用低露点除湿エアー発生装置Ａを通過するエアーの流れを示している。
【００４５】
図３〜図７は、本実施例に係る高圧用低露点除湿エアー発生装置Ａを示すものであり、フレーム１の内部に回転軸２が備えられ、当該回転軸２はモーター３により回転駆動する。当該モーター３は、例として回転軸２を６０°ずつの間欠運転するように制御され、かつ、６０°回転し、１０分間停止して約１時間で１回転するように制御されている。
【００４６】
４は高圧用低露点除湿エアー発生装置Ａの上部に配された第１回転止め具付接触板であり、５は高圧用低露点除湿エアー発生装置Ａの下部に配された第２固定接触板である。これら第１回転止め具付接触板４及び第２固定接触板５は、回転軸２を中心軸として配された円形の形状をなすものであり、いずれも回転しないようにフレーム１に固定されている。そして、当該第１回転止め具付接触板４と第２固定接触板５との間に円筒状の吸着筒１０が備えられており、当該吸着筒１０は、回転軸２を中心として回転可能に配されている。したがって、吸着筒１０は、前記のように制御されたモーター１０の回転により、６０°回転し、１０分間停止して約１時間で１回転することになる。
【００４７】
そして、上記吸着筒１０は、次の構成を備える。すなわち、吸着筒１０は、その上部に天板と円筒枠とからなるボックス型のプレートよりなる第１回転ボックスプレート１１と、吸着筒１０の下部に同じく底板と円筒枠とからなるボックス型のプレートよりなる第２回転ボックスプレート１２を備えている。
【００４８】
これら第１回転ボックスプレート１１と第２回転ボックスプレート１２との間に、上から順に第１パッキン１３、第１ハニカムローター１４、第２パッキン１５、第２ハニカムローター１６及び第３パッキン１７が挟み込まれている。また、第１回転ボックスプレート１１と第２回転ボックスプレート１２とは、その間に両端にネジを有する複数のネジ棒１８が架け渡されており、各ネジ棒１８は第１回転ボックスプレート１１及び第２回転ボックスプレート１２の各周縁に設けられた係合部に挿通されてナット止めすることにより、第１回転ボックスプレート１１と第２回転ボックスプレート１２との間に第１パッキン１３、第１ハニカムローター１４、第２パッキン１５、第２ハニカムローター１６及び第３パッキン１７が挟み込まれて一体化されている。前記第１ハニカムローター１４及び第２ハニカムローター１６は、それぞれ主として多数の小孔を有するハニカム構造の吸着剤から構成されている。
【００４９】
上記の第１回転止め具付接触板４は第１回転ボックスプレート１１に接触して配されており、第１回転ボックスプレート１１における第１回転止め具付接触板４との接触面は、ポリテトラフルオロエチレンを焼き付けコーティングされており、第１回転止め具付接触板４に対して第１回転ボックスプレート１１はスムーズに回転し、かつ、第１回転止め具付接触板４と第１回転ボックスプレート１１との隙間からエアー漏れが発生しないようになっている。また、同様に、第２固定接触板５は第２回転ボックスプレート１２に接触して配されており、第２回転ボックスプレート１２における第２固定接触板５との接触面は、ポリテトラフルオロエチレンを焼き付けコーティングされており、第２固定接触板５に対して第２回転ボックスプレート１２がスムーズに回転し、かつ、第２固定接触板５と第２回転ボックスプレート１２との隙間からエアー漏れが発生しないようになっている。
【００５０】
そして、上記の第１回転止め具付接触板４には、図４に示すように、隣り合う２つの乾燥エアー入口穴４ａ、４ｂと、当該乾燥エアー入口穴４ａ、４ｂと隣り合う冷却エアー出口穴４ｃ及び再生エアー入口穴４ｄとが形成されている。また、前記２つの乾燥エアー入口穴４ａ、４ｂはその２つの穴を覆うフード２１を介して乾燥エアー入口管２２に接続されている。前記冷却エアー出口穴４ｃは冷却エアー出口管２３に接続され、前記再生エアー入口穴４ｄは再生エアー入口管２４に接続されている。上記の第２固定接触板５は、図５に示すように、隣り合う２つの乾燥エアー出口穴５ａ、５ｂと、当該乾燥エアー出口穴５ａ、５ｂと隣り合う冷却エアー入口穴５ｃと再生エアー出口穴５ｄとを有しており、前記２つの乾燥エアー出口穴５ａ、５ｂはその２つの穴を覆うフード３１を介して乾燥エアー出口管３２に接続され、前記冷却エアー入口穴５ｃは冷却エアー入口管３３に接続され、前記再生エアー出口穴５ｄは再生エアー出口管３４に接続されている。すなわち、図６及び図７に示すように、第１回転止め具付接触板４における乾燥エアー入口穴４ａ、４ｂは第２固定接触板５における乾燥エアー出口穴５ａ、５ｂに対応しており、第１回転止め具付接触板４における冷却エアー出口穴４ｃは第２固定接触板５における冷却エアー入口穴５ｃに対応しており、第１回転止め具付接触板４における再生エアー入口穴４ｄは第２固定接触板５における再生エアー出口穴５ｄに対応している。
【００５１】
また、上記の冷却エアー出口穴４ｃ及び再生エアー入口穴４ｄは、図４に示すように、それぞれ前記第１回転止め具付接触板４を、回転軸２を中心として６等分に分割（図中のａ〜ｆは分割線を示す。）した扇型の区画部の所定の位置に形成された穴である。前記２つの乾燥エアー入口穴４ａ、４ｂは、それぞれ前記第１回転止め具付接触板４を、回転軸２を中心として６等分に分割した扇型の区画部の所定の位置の穴を２個連続させた扇形の２区画部の範囲にわたるように形成されている。すなわち、分割線ｃ及びｄで囲まれる扇形の区画部の中央部に冷却エアー出口穴４ｃが形成されている。分割線ｄ及びｅで囲まれる扇形の区画部の中央部に再生エアー入口穴４ｄが形成されている。分割線ｅ及びａで囲まれる扇形の区画部の中央部に乾燥エアー入口穴４ａが形成されている。分割線ａ及びｃで囲まれる扇形の区画部の中央部に乾燥エアー入口穴４ｂが形成されている。図１０（ａ）には、冷却エアー出口穴４ｃ、再生エアー入口穴４ｄ及び乾燥エアー入口穴４ａ、４ｂが形成されている第１回転止め具付接触板４が示されており、図１０（ｂ）には、乾燥エアー入口穴４ａ、４ｂを１つのフード２１で覆って乾燥エアー入口管２２に接続されている状態が示されている。
【００５２】
上記の冷却エアー入口穴５ｃ及び再生エアー出口穴５ｄは、図５に示すように、それぞれ前記第２固定接触板５を、回転軸２を中心として６等分に分割（図中のａ’〜ｆ’は分割線を示す。）した扇型の区画部の所定の位置に形成された穴である。前記２つの乾燥エアー出口穴５ａ、５ｂは、それぞれ前記第２固定接触板５を回転軸２を中心として６等分に分割した扇型の区画部の所定の位置の穴を２個連続させた扇形の２区画部の範囲にわたるように形成されている。すなわち、分割線ｄ’及びｃ’で囲まれる扇形の区画部の中央部に冷却エアー入口穴５ｃが形成されている。分割線ｅ’及びｄ’で囲まれる扇形の区画部の中央部に再生エアー出口穴５ｄが形成されている。分割線ｃ’及びａ’で囲まれる扇形の区画部の中央部に乾燥エアー出口穴５ｂが形成されている。分割線ａ’及びｅ’で囲まれる扇形の区画部の中央部に乾燥エアー出口穴５ａが形成されている。なお、図１０（ａ）（ｂ）に示す図は、冷却エアー入口穴５ｃ、再生エアー出口穴５ｄ及び乾燥エアー出口穴５ａ、５ｂに対しても、構成としては同様である。
【００５３】
そして、図６〜図９に示すように、上記の各分割線に一致させて、第１回転ボックスプレート１１、第２回転ボックスプレート１２、第１パッキン１３、第１ハニカムローター１４、第２パッキン１５、第２ハニカムローター１６及び第３パッキン１７は、それぞれ回転軸２を中心として６０°ずつに揃えて区画されている。
【００５４】
また、図７に示すように、前記第１回転ボックスプレート１１には、回転軸２を中心として６等分に分割した扇型の区画部の所定の位置に通気穴ｓ１〜ｓ６が形成されており、同様に第２回転ボックスプレート１２には、回転軸２を中心として６等分に分割した扇型の区画部の所定の位置に通気穴ｔ１〜ｔ６が形成されている。そして、通気穴ｓ１は第１パッキン１３、第１ハニカムローター１４、第２パッキン１５、第２ハニカムローター１６及び第３パッキン１７における６０°ずつに揃えて区画された領域の１つを経て通気穴ｔ１に達するようになっており、吸着筒１０は前述したように、第１回転ボックスプレート１１から第２回転ボックスプレート１２まで一体構成されているので、通気穴ｓ２〜ｓ６は第１パッキン１３、第１ハニカムローター１４、第２パッキン１５、第２ハニカムローター１６及び第３パッキン１７における６０°ずつに揃えて区画された領域の１つを経てそれぞれ通気穴ｔ２〜ｔ６に達するように構成されている。
【００５５】
したがって、図１１（ａ）に示す通気穴ｓ１〜ｓ６は、吸着筒１０がモーター駆動により６０°ずつ回転すると、通気穴ｓ１〜ｓ６と第１回転止め具付接触板における冷却エアー出口穴４ｃ、再生エアー入口穴４ｄ及び乾燥エアー入口穴４ａ、４ｂとの相対位置が６０°ずつ変位することになる。図１１（ｂ）は図１１（ａ）に示す状態から吸着筒１０を６０°回転させた状態を示す。同様に、吸着筒１０がモーター駆動により６０°ずつ回転すると、通気穴ｔ１〜ｔ６と第２固定接触板５における冷却エアー入口穴５ｃ、再生エアー出口穴５ｄ及び乾燥エアー出口穴５ａ、５ｂとの相対位置が６０°ずつ変位することになる。なお、図１１（ｃ）に示すように、吸着筒１０が６０°ずつ回転する途中の例えば、３０°の位置においても、乾燥エアー入口穴４ａ、４ｂは、通気穴ｓ１〜ｓ６のいずれかが乾燥エアー入口穴４ａ、４ｂに対応するので、塞がれることはない。このことは、乾燥エアー出口穴５ａ、５ｂについても同様である。
【００５６】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５７】
Ａ…高圧用低露点除湿エアー発生装置
Ｂ…粒状合成樹脂材料の結晶乾燥装置
Ｃ…ポリエステルチップの予備結晶化装置
１…フレーム
２…回転軸
３…モーター
４…第１回転止め具付接触板
４ａ、４ｂ…乾燥エアー入口穴
４ｃ…冷却エアー出口穴
４ｄ…再生エアー入口穴
５…第２固定接触板
５ａ、５ｂ…乾燥エアー出口穴
５ｃ…冷却エアー入口穴
５ｄ…再生エアー出口穴
１０…吸着筒
１１…第１回転ボックスプレート
１２…第２回転ボックスプレート
１３…第１パッキン
１４…第１ハニカムローター
１５…第２パッキン
１６…第２ハニカムローター
１７…第３パッキン
１８…ネジ棒
２１…フード
２２…乾燥エアー入口管
２３…冷却エアー出口管
２４…再生エアー入口管
３１…フード
３２…乾燥エアー出口管
３３…冷却エアー入口管
３４…再生エアー出口管
ａ〜ｆ…分割線
ａ’〜ｆ’…分割線
ｓ１〜ｓ６…通気穴
ｔ１〜ｔ６…通気穴